(57)【要約】【課題】球噛みを起こすことなく、しかも、遊技球の正確な払い出しができ、余剰切りのない遊技機の球払出装置を提供する。【解決手段】遊技球Ｂが流下する鉛直な球通路３と、球通路３に近接させて配置され、球通路３の中心軸線が含まれる面内で支軸８を中心として上下に往復回動し、球通路３側の下部に遊技球Ｂが受けられる球受凹部１１が形成されると共に球通路３側の上部に遊技球Ｂが受けられその上面１０ａが支軸８を中心とする円弧面をなす球受凸部１０が形成され、常に弾性手段１２により球受凹部１１が上側へ回動するように付勢される球送部材６と、電動アクチュエータ１６の駆動により回動し球送部材６に係合して該球送部材６を弾性手段１２の付勢に抗して回動させるカム部材１５と、を備えてなる。【選択図】図７
2012152350.tif 000002
【特許請求の範囲】
【請求項１】
遊技球が流下する鉛直な球通路と、
前記球通路に近接させて配置され、前記球通路の中心軸線が含まれる面内で支軸を中心として上下に往復回動し、前記球通路側の下部に遊技球が受けられる球受凹部が形成されると共に前記球通路側の上部に遊技球が受けられその上面が前記支軸を中心とする円弧面をなす球受凸部が形成され、常に弾性手段により前記球受凹部が上側へ回動するように付勢される球送部材と、
電動アクチュエータの駆動により回動し前記球送部材に係合して該球送部材を前記弾性手段の付勢に抗して回動させるカム部材と、を備え、
前記球送部材が前記弾性手段により付勢されて回動したときは、前記球送部材における球受凸部と球受凹部が上側へ回動し、前記球受凸部と前記球通路の内側面との間は前記遊技球が通過し得る寸法となり、かつ、前記球受凹部と前記球通路の内側面との間は前記遊技球が通過し得ない寸法となり、前記球受凹部に受けられた遊技球はそこで停止し、
前記カム部材により前記球送部材が前記弾性手段の付勢に抗して回動したときは、前記球送部材における球受凸部と球受凹部が下側へ回動し、前記球受凸部と前記球通路の内側面との間は前記遊技球が通過し得ない寸法となり、前記球受凹部と前記球通路の内側面との間は前記遊技球が通過し得る寸法となり、前記球受凸部に受けられた遊技球はそこで停止すると共に前記球受凹部に受けられていた遊技球は下方へ払い出されるようにしたことを特徴とする遊技機の球払出装置。
【発明の詳細な説明】
【技術分野】
【０００１】
本発明は、遊技機の裏側に装着され所定数の遊技球を遊技機の前側へ払い出す遊技機の球払出装置に関するものである。
【背景技術】
【０００２】
従来、遊技機の一種であるパチンコ遊技機は、外枠に装着される内枠に遊技盤が配設されると共に該内枠の裏側に遊技盤の裏面を覆うようにして合成樹脂製の機構板が開閉自在に装着されている。該機構板の背面には、その上部に遊技球であるパチンコ球を貯留する球タンクが配設されると共にその下方に該球タンクから排出されるパチンコ球を下方へ誘導するタンクレールが設けられ、該タンクレールの終端部に球払出装置が配設されている。球タンクに貯留されるパチンコ球はタンクレールを介して球払出装置に至り、該球払出装置内では最下端部に位置するパチンコ球が停止している。そこで、例えば入賞球が発生して中央制御装置から所定量のパチンコ球を払い出すようにという指令が発せられると、球払出装置から所定量のパチンコ球が払い出される。これら払い出されたパチンコ球は、パチンコ遊技機の前側に装着される上球皿に貯留されるようになっている。上球皿に貯留されたパチンコ球は、打球発射位置に一個ずつ供給され前記遊技盤面に形成された遊技部に打ち込まれることになる。
【０００３】
ところで、前記球払出装置として例えば次のような構成のものがある。すなわち、該球払出装置は、ケース内にパチンコ球が流下する鉛直な球通路が形成され、その一側に近接させて外周縁にパチンコ球が受けられる複数の球受凹部を列設した球送部材としてのスプロケットが自在に回転するように軸装され、その近傍には該スプロケットの回転を制御する制御部材が配置されている。そして、制御部材を作動させスプロケットを所要回転数回転させることにより、所定量のパチンコ球が払い出される。これら払い出されるパチンコ球は、球検出器により検出されるようになっている（例えば、特許文献１参照。）。
【先行技術文献】
【特許文献】
【０００４】
【特許文献１】特開２００２−８５７５３号公報（第３−１０頁、図３、図１３）
【発明の概要】
【発明が解決しようとする課題】
【０００５】
前記特許文献１に示される球払出装置にあっては、スプロケットの外周縁に沿って複数の球受凹部が列設される関係から、隣接する球受凹部間には先端が山形の突起部が形成されている。このように隣接する球受凹部間に山形の突起部が形成されていると、スプロケットを回転させてパチンコ球を払い出しているときに、パチンコ球の流下速度とスプロケットの回転速度とがずれて食い違い、スプロケットにおける前記先端山形の突起部と球通路の内壁面との間でパチンコ球を挟み噛んでしまい、パチンコ球の払出動作が続行できなくなるといったいわゆる球噛み現象の起こることが有った。
【０００６】
また、スプロケットは外周縁の球受凹部にパチンコ球を受けながらそのパチンコ球の流れに沿って自在に回転することから、仮に一度に多くのパチンコ球を払い出す場合などスプロケットを高速で回転させると、該スプロケットの所定の停止位置が狂うことが有る。このように、停止位置が狂うと、スプロケットにより誤ってパチンコ球を過剰に切って所定量よりも多く払い出してしまい、中央コンピュータ上でのパチンコ球の数が一致しなくなり、パチンコ球の管理が難しくなるという課題が有った。
【０００７】
そこで、本発明は上記課題を解決すべくなされたもので、球噛みを起こすことなく、しかも、遊技球の正確な払い出しができ、余剰切りのない遊技機の球払出装置を提供することを目的とするものである。
【課題を解決するための手段】
【０００８】
かかる目的を達成するため本発明に係る遊技機の球払出装置は、遊技球が流下する鉛直な球通路と、前記球通路に近接させて配置され、前記球通路の中心軸線が含まれる面内で支軸を中心として上下に往復回動し、前記球通路側の下部に遊技球が受けられる球受凹部が形成されると共に前記球通路側の上部に遊技球が受けられその上面が前記支軸を中心とする円弧面をなす球受凸部が形成され、常に弾性手段により前記球受凹部が上側へ回動するように付勢される球送部材と、電動アクチュエータの駆動により回動し前記球送部材に係合して該球送部材を前記弾性手段の付勢に抗して回動させるカム部材と、を備え、前記球送部材が前記弾性手段により付勢されて回動したときは、前記球送部材における球受凸部と球受凹部が上側へ回動し、前記球受凸部と前記球通路の内側面との間は前記遊技球が通過し得る寸法となり、かつ、前記球受凹部と前記球通路の内側面との間は前記遊技球が通過し得ない寸法となり、前記球受凹部に受けられた遊技球はそこで停止し、前記カム部材により前記球送部材が前記弾性手段の付勢に抗して回動したときは、前記球送部材における球受凸部と球受凹部が下側へ回動し、前記球受凸部と前記球通路の内側面との間は前記遊技球が通過し得ない寸法となり、前記球受凹部と前記球通路の内側面との間は前記遊技球が通過し得る寸法となり、前記球受凸部に受けられた遊技球はそこで停止すると共に前記球受凹部に受けられていた遊技球は下方へ払い出されるようにしたことを特徴とする。
【発明の効果】
【０００９】
本発明に係る遊技機の球払出装置は、遊技球が流下する鉛直な球通路と、前記球通路に近接させて配置され、前記球通路の中心軸線が含まれる面内で支軸を中心として上下に往復回動し、前記球通路側の下部に遊技球が受けられる球受凹部が形成されると共に前記球通路側の上部に遊技球が受けられその上面が前記支軸を中心とする円弧面をなす球受凸部が形成され、常に弾性手段により前記球受凹部が上側へ回動するように付勢される球送部材と、電動アクチュエータの駆動により回動し前記球送部材に係合して該球送部材を前記弾性手段の付勢に抗して回動させるカム部材と、を備えて構成される。そして、球送部材が弾性手段により付勢されて回動したときは、球送部材における球受凸部と球受凹部が上側へ回動し、球受凸部と球通路の内側面との間は遊技球が通過し得る寸法となり、かつ、球受凹部と球通路の内側面との間は遊技球が通過し得ない寸法となり、球受凹部に受けられた遊技球はそこで停止し、カム部材により球送部材が弾性手段の付勢に抗して回動したときは、球送部材における球受凸部と球受凹部が下側へ回動し、球受凸部と球通路の内側面との間は遊技球が通過し得ない寸法となり、球受凹部と球通路の内側面との間は遊技球が通過し得る寸法となり、球受凸部に受けられた遊技球はそこで停止すると共に球受凹部に受けられていた遊技球は下方へ払い出されるようにした。
【００１０】
このように、球送部材における球受凸部の上面が支軸を中心とする円弧面に形成され、しかも、弾性手段により常に球受凹部が上側へ回動するように付勢されている。よって、カム部材により球送部材が弾性手段の付勢に抗して回動するとき、球受凸部の上面に受けられる遊技球が該球受凸部と球通路の内壁面との間に挟まれるも、該遊技球の球荷重は球送部材の支軸に掛かる。これによって、球送部材からカム部材の係合が外れると、弾性手段の付勢により球送部材が遊技球から逃げるように回動することになり、球噛み現象の起こるようなことがないという効果を有する。
【００１１】
また、球送部材を往復回動させ、球通路内に縦に並ぶ遊技球を球受凸部により一個ずつ切って下方の球受凹部側へ送るようにしているので、遊技球の払い出し動作が正確に行われ誤動作がなく、例えば誤って必要以上の遊技球を払い出してしまうといった余剰球の発生もなくすことができるという有益な効果も有る。
【図面の簡単な説明】
【００１２】
【図１】本発明に係る球払出装置の斜視図。
【図２】同分解斜視図。
【図３】右半割体の斜視図。
【図４】右半割体に仕切板を付けた状態の斜視図。
【図５】球払出装置の平面断面図。
【図６】（イ）（ロ）は作用を説明する球払出装置の側面断面図。
【図７】（イ）（ロ）は作用を説明する球払出装置の側面断面図。
【図８】球払出装置の拡大側面断面図。
【図９】本発明が適用されるパチンコ遊技機の正面図。
【図１０】本発明が適用されるパチンコ遊技機の背面図。
【発明を実施するための形態】
【００１３】
以下、本発明に係る遊技機の球払出装置の最良の実施の形態を、図面に基づき詳しく説明する。本発明に係る球払出装置は、パチンコ遊技機、アレパチ機、雀球遊技機などの遊技機に適用されるが、本発明にあってはそのうちパチンコ遊技機に適用される場合について説明する。まず、本発明が適用されるパチンコ遊技機について説明する。
【００１４】
図９は、本発明が適用されるパチンコ遊技機の正面図、図１０は、本発明が適用されるパチンコ遊技機の背面図である。パチンコ遊技機Ｐは正面縦長長方形状の外枠１００に内枠１０１が開閉自在に装着され、該内枠１０１に遊技盤１０２が配設されている。また、内枠１０１の前面に、遊技盤１０２の前面を覆う透明板保持枠１０３が開閉自在に装着されている。該内枠１０１の前面であって透明板保持枠１０３の下方に、前板１０４が装着されている。該前板１０４の前面には、遊技球であるパチンコ球を貯留すると共に一個ずつ打球発射部（図示せず。）に供給する上球皿１０５が装着されている。その下方であって下部前板１０４ａの前面に、上球皿１０５から溢れたパチンコ球を貯留する下球皿１０６が装着され、その一側に打球発射部（図示せず。）から遊技盤１０２の前面へ発射されるパチンコ球の打球力を調整するための打球力調整ハンドル１０７が取着されている。
【００１５】
前記遊技盤１０２に、その前面に誘導レールである内側のガイドレール１０８と外側のガイドレール１０９とが略渦巻状に敷設され、該内側・外側ガイドレール１０８，１０９に囲まれるようにして遊技部１１０が形成されている。該遊技部１１０には、その中央位置に文字、数字等の図柄を変動表示する可変表示器１１１ａを備えた可変表示装置１１１が配設され、その下方にパチンコ球の入賞により該可変表示器１１１ａに表示する図柄を変動させる始動入賞口１１２が配置されている。また、その下方に、大型の入賞装置１１３が配置されている。
【００１６】
一方、前記内枠１０１の背面に、図１０に示すように遊技盤１０２の裏面を覆う合成樹脂製の機構板１１４が開閉自在に装着されている。機構板１１４の背面には、その上部の一側にパチンコ球を貯留しておく球タンク１１５が配置されている。また、球タンク１１５の下方に該球タンク１１５から排出されるパチンコ球を下方へ誘導するタンクレール１１６が配設され、その流下端に本発明に係る球払出装置１１７が配設されている。そこで、例えば遊技中に入賞球が発生した場合、該球払出装置から所定数のパチンコ球が払い出されることになるが、これらパチンコ球は前記内枠１０１の前側に誘導されて上球皿１０５に貯留されることになる。
【００１７】
次に、図１乃至図５に基づき本発明に係る球払出装置について説明する。図１は本発明に係る球払出装置の斜視図、図２は同分解斜視図、図３は右半割体の斜視図、図４は右半割体に仕切板を付けた状態の斜視図、図５は球払出装置の平面断面図である。球払出装置１１７は、合成樹脂材からなる中空直方体形状のケース本体１から形成される。該ケース本体１は、ほぼ中央で縦面により左右に二分割され、右半割体１ａと、左半割体１ｂと、これら右・左半割体１ａ，１ｂを合致させたときその間に介在される仕切板２とから構成される。そして、右半割体１ａ内の一側に上下端面で開放される鉛直な球通路３が形成されると共に、該球通路３を除いた残りの部位に右空洞室４が形成されている。一方、左半割体１ｂ内に、左空洞室５が形成されている。
【００１８】
前記ケース本体１内には、球通路３に近接させて球送部材６が配置される。該球送部材６は、仕切板２に開設された通孔７に挿通され右空洞室４と左空洞室５とに亘って配置されている。そして、球送部材６は右半割体１ａの側壁から内側へ水平に延びる支軸８によって軸支され、球通路３の中心軸線が含まれる面内で上下に往復回動するようになっている。また、その一部が球通路３を形成する通路壁３ａに開設された開口９を介して該球通路３内に介入しており、その球通路３側の下部にパチンコ球Ｂを受ける弧面状の球受凹部１１が形成されると共に、球通路３側の上部にパチンコ球Ｂを受ける球受凸部１０が形成されている。また、球受凸部１０の上面１０ａは、球送部材６の支軸８を中心とする円弧面に形成されている。
【００１９】
図に示すように右半割体１ａの側壁と球送部材６との間に、一端が右半割体１ａの側壁側に固定されると共に他端が球送部材６側に固定される弾性手段としてのコイルバネ１２が介装される。これにより、球送部材６はその上部の球受凸部１０が上側へ回動するように、また、下部の球受凹部１１も上側へ回動するように回動付勢されている。このとき、球受凸部１０と球通路３の内壁面３ｂとの間の寸法はパチンコ球Ｂの直径よりも大きく、その間をパチンコ球Ｂが通過し得る。また、球受凹部１１と球通路３の内壁３ｂ面との間の寸法はパチンコ球Ｂの直径よりも小さく、その間をパチンコ球Ｂが通過し得ないようになっている。よって、球通路３内の最下端のパチンコ球Ｂは、球受凹部１１に受け止められて停止することになる。
【００２０】
前記球送部材６の上方であって左半割体１ｂ内に、左空洞室５内に位置して左半割体１ｂの側壁と仕切板２との間に架設される水平な軸ピン１３により軸支される大径歯車１４が配置される。該大径歯車１４の一側面には、周囲に４枚の羽根１５ａを持ちこれら羽根１５ａが前記球受凸部１０に間歇的に係合するカム部材１５が一体に設けられている。該カム部材１５は球送部材６の球受凸部１０の側面に係合することになるが、これによりコイルバネ１２の付勢に抗して球受凸部１０が下側へ回動すると共に球受凹部１１も下側へ回動する。このとき、球受凸部１０と球通路３の内壁面３ｂとの間の寸法はパチンコ球Ｂの直径よりも小さく、その間をパチンコ球Ｂが通過し得ない。また、球受凹部１１と球通路３の内壁３ｂ面との間の寸法はパチンコ球Ｂの直径よりも大きく、その間をパチンコ球Ｂが通過し得るようになっている。また、球受凹部１１に受けられていたパチンコ球Ｂは支持を失い下方へ落下し払い出される。よって、球通路３内の最下端のパチンコ球Ｂは、球受凸部１０に受け止められて停止することになる。
【００２１】
一方、右半割体１ａの右空洞室４内に、電動アクチュエータであるステッピングモータ１６が配置され、該ステッピングモータ１６の駆動軸１６ａに小径歯車１７が固着されている。この小径歯車１７は仕切板２に開設された透孔１８を介して左半割体１ｂの左空洞室５内に位置し、前記大径歯車１４と噛合している。そこで、ステッピングモータ１６の駆動により、小径・大径歯車１４，１７が回動し、大径歯車１４のカム部材１５の回動動作により球送部材６が係合しコイルバネ１２の付勢に抗して回動することになる。また、その係合が外れると、コイルバネ１２の付勢により逆方向へ回動して元の位置へ戻る。このようにして、球送部材６が上下に往復回動する。
【００２２】
右半割体１ａにおける右空洞部４の下部に球通路３から払い出されるパチンコ球Ｂを電気的にカウントする球検出器１９が配置され、パチンコ球Ｂが通過する検知部１９ａが球通路３内に介入している。右半割体１ａ、左半割体１ｂや仕切板２には、所定位置に螺子孔２０及び螺子挿通孔２１が設けられている。そこで、仕切板２を挟んで右半割体１ａと左半割体１ｂを合致させ、螺子挿通孔２１を介して螺子孔２０に螺子２２を螺締することによりケース本体１が組み立てられる。
【００２３】
本発明に係る遊技機の球払出装置は上記構成からなり、次に、図６乃至図８に基づきその作用について説明する。図６（イ）（ロ）は作用を説明する球払出装置の側面断面図、図７（イ）（ロ）は作用を説明する球払出装置の側面断面図、図８は球払出装置の拡大側面断面図である。パチンコ球Ｂを払い出しなさいという指令がないときは、ステッピングモータ１６は駆動せず停止している。この状態では、図６（イ）に示すように、球送部材６がコイルバネ１２の付勢により上部の球受凸部１０が下方へ回動すると共に、下部の球受凹部１１も下方へ回動しその位置で保持されている。そして、球タンク１１５からタンクレール１１６を介して球通路３内に流入するパチンコ球Ｂのうち最下端のパチンコ球Ｂ１が球受凹部１１に受け止められて停止し、その上方に第二番目のパチンコ球Ｂ２を始めとする球通路３に流入した他のパチンコ球Ｂがそれぞれ連続して並ぶことになる。
【００２４】
この状態で、遊技中に例えば入賞球（図示せず。）が発生し、その入賞球に合った個数の景品球としてのパチンコ球を払い出せという指令があった場合、ステッピングモータ１６が所定数回転する。これにより、図６（ロ）に示すように小径・大径歯車１４，１７を介してカム部材１５が同図矢視方向へ回動して一個の羽根１５ａが球送部材６と係合し、すなわち球受凸部１０が下側へ回動するように球送部材６を回動させる。これにより、図７（イ）に示すように最下端から第二番目のパチンコ球Ｂ２が切られて球受凸部１０の上面１０ａに載り停止すると共に、球受凹部１１も下側へ回動して該球受凹部１１に受けられていた最下端のパチンコ球Ｂ１を下方へ払い出す。
【００２５】
この際、球送部材６の球受凸部１０の上面１０ａはその支軸８を中心とする円弧面に形成されていることから、図８に示すように第二番目のパチンコ球Ｂ２による球荷重Ｗは、球送部材６の支軸８に向かって直接加えられる。よって、そのパチンコ球Ｂ２を受け止めた状態であっても、球送部材６にその支軸８を中心とした必要のないモーメントが働くことがなく、ステッピングモータ１６にはコイルバネ１２により球送部材６を反転させる力が負荷として働くのみである。よって、ステッピングモータ１６に大きな負荷が加わることがない。また、球受凸部１０の上面１０ａに第二番目のパチンコ球Ｂ２を載せた状態で、球送部材６とカム部材１５との係合が外れると、球送部材６はコイルバネ１２の付勢により球受凸部１０側が上側へ回動するので、該球受凸部１０と球通路３の内壁面３ｂとの間でパチンコ球Ｂが噛むようなことはない。
【００２６】
このようにして、球受凸部１０が上側へ回動するように球送部材６が回動すると球受凹部１１が上側へ回動し、図７（ロ）に示すように該球受凸部１０の上面１０ａに載っていた第二番目のパチンコ球Ｂ２がそこから落下して図６（イ）に示すような配置に戻る。以後、同様な動作を繰り返して所定数のパチンコ球Ｂが払い出される。これら球送部材６から払い出されるパチンコ球Ｂは、球通路３の下端部に配置された球検出器１９により電気的に検出される。
【００２７】
また、本発明の遊技機の球払出装置にあって、球送部材６を往復回動させ、球通路３内に縦に並ぶパチンコ球Ｂを球受凸部１０により一個ずつ切って下方の球受凹部１１側へ送るようにしているので、パチンコ球Ｂの払い出し動作が正確に行われ誤動作がなく、例えば誤って必要以上のパチンコ球Ｂを払い出してしまうといった余剰球の発生もなくすことができる。
【００２８】
また、球払出装置１１７から景品球としてパチンコ球を払い出す場合を説明したが、貸し球としてパチンコ球を払い出す場合についても、同様にして払い出されることは勿論である。
【符号の説明】
【００２９】
３                  球通路
６                  球送部材
１０                球受凸部
１１                球受凹部
１２                弾性手段（コイルバネ）
１５                カム部材
１６                電動アクチュエータ（ステッピングモータ）
Ｂ                  遊技球（パチンコ球）
Ｂ１                遊技球（パチンコ球）
Ｂ２                遊技球（パチンコ球）
【図１】
2012152350.tif 000003
【図２】
2012152350.tif 000004
【図３】
2012152350.tif 000005
【図４】
2012152350.tif 000006
【図５】
2012152350.tif 000007
【図６】
2012152350.tif 000008
【図７】
2012152350.tif 000009
【図８】
2012152350.tif 000010
【図９】
2012152350.tif 000011
【図１０】
2012152350.tif 000012